(57)【特許請求の範囲】
【請求項１】
マストに旋回体が旋回自在に配置され且つ該旋回体上にジブが起伏自在に取り付けられたクレーンを構築物上に複数台配置してなるクレーンのジブ支持装置であって、
前記旋回体に、他のクレーンのジブを支持可能な受台を設け、
該受台を、
前記他のクレーンのジブを支持可能な展開位置と、前記旋回体からの張り出し量を少なくする格納位置との間で水平回動自在となるよう前記旋回体に取り付けられた受台フレームと、
該受台フレームの上部に設けられ且つ前記他のクレーンのジブの幅に応じて間隔調節可能な幅調節手段と
から構成したことを特徴とするクレーンのジブ支持装置。
【請求項２】
前記幅調節手段を、
前記他のクレーンのジブの両幅端部を挟持するように配設され且つ少なくとも一方が前記他のクレーンのジブの幅方向へ移動自在となるよう前記受台フレームの上部に取り付けられる受部材
によって構成した請求項１記載のクレーンのジブ支持装置。
【請求項３】
前記クレーンが、上方へブロックを順次継ぎ足し可能なマストの頂部に昇降ユニットを介して前記旋回体を旋回自在に配置したクライミングクレーンである請求項１又は２記載のクレーンのジブ支持装置。
【発明の詳細な説明】
【技術分野】
【０００１】
本発明は、クレーンのジブ支持装置に関するものである。
【背景技術】
【０００２】
一般に、ビル等の構築物を建設する際にはクライミングクレーンやタワークレーン等のクレーンが用いられている。
【０００３】
図７は従来のクライミングクレーンの一例を示す概略図であって、クライミングクレーン１は、上方へブロック２ａを順次継ぎ足し可能なマスト２の頂部に、昇降ユニット３を介して旋回体４を旋回自在に配置し、該旋回体４上にジブ５を起伏自在に取り付け、前記旋回体４に、後方へ延びるカウンタフレーム６を一体に設け、該カウンタフレーム６上に、吊荷用フック７を吊り下げるワイヤロープ８を巻上げ下げするための巻上装置９と、ジブ５の起伏用のワイヤロープ１０を巻上げ下げするための起伏装置１１とを設置してなる構成を有している。尚、図７中、１２は前記マスト２が立設されるビル等の構築物である。
【０００４】
ところで、前記クライミングクレーン１では、ジブ５は比較的長いので、暴風時に側面から風を受けた場合、大きな力が働くと共に、長いジブ５の先端が自由端となっているので、構造的に不安定となっており、このような事情より、クライミングクレーン１は、暴風により大きな被害を受ける可能性がある。
【０００５】
そこで、クライミングクレーン１には暴風対策を施す必要があるが、主な対策としては次の二つの手段がある。
【０００６】
第一の手段は、旋回体４を自由に旋回できるようにする、いわゆる旋回フリーである。こうしておけば、ジブ５は風に吹かれてその先端は自ずと風下に向き、風見鶏の如く背後から風を受ける形となるので、風を受ける面積が小さくなり、受ける力を最小限に抑えることができる。
【０００７】
第二の手段は、自由端となっているジブ５の先端を、ビル等の構築物１２の所要箇所に固定することであり、このようにすれば、ジブ５の自由端が固定されるので、固定しない場合よりは構造的に安定し、風に対する剛性を高めることが可能となる。
【０００８】
尚、クレーンの暴風対策に関連する一般的技術水準を示すものとしては、例えば、特許文献１、２がある。
【特許文献１】特開２００６−２４８６３６号公報
【特許文献２】特開２００６−２６４９５２号公報
【発明の開示】
【発明が解決しようとする課題】
【０００９】
しかしながら、前述した第一の手段のように旋回体４を旋回フリーとすることは、クライミングクレーン１が複数台隣接して配置されている場合には対応できず、クライミングクレーン１が一台の場合に限られるという制約があった。
【００１０】
又、前述した第二の手段のようにジブ５の自由端を固定することは、ビル等の構築物１２にジブ５の自由端の固定に適した箇所がない場合には、第一の手段と同様に対応が困難となり、クライミングクレーン１が設置されている周辺の状況に大きく左右されるという欠点を有していた。
【００１１】
本発明は、斯かる実情に鑑み、暴風時、複数台のクレーンを設置周辺の状況に影響されずに安定配置させることができ、転倒等を確実に防止し得るクレーンのジブ支持装置を提供しようとするものである。
【課題を解決するための手段】
【００１７】
一方、本発明は、マストに旋回体が旋回自在に配置され且つ該旋回体上にジブが起伏自在に取り付けられたクレーンを構築物上に複数台配置してなるクレーンのジブ支持装置であって、
前記旋回体に、他のクレーンのジブを支持可能な受台を設け、
該受台を、
前記他のクレーンのジブを支持可能な展開位置と、前記旋回体からの張り出し量を少なくする格納位置との間で水平回動自在となるよう前記旋回体に取り付けられた受台フレームと、
該受台フレームの上部に設けられ且つ前記他のクレーンのジブの幅に応じて間隔調節可能な幅調節手段と
から構成したことを特徴とするクレーンのジブ支持装置にかかるものである。
【００１８】
前述のクレーンのジブ支持装置の如く構成すると、暴風時、従来のように旋回体を旋回フリーとしたり、ジブの自由端を構築物に固定したりせずに、複数台のクレーンが相互に支え合うように安定して配置される形となり、転倒等の心配がなくなる。
【００１９】
前記クレーンのジブ支持装置においては、前記他のクレーンのジブを支持可能な展開位置と、前記旋回体からの張り出し量を少なくする格納位置との間で水平回動自在となるよう前記旋回体に取り付けられた受台フレームと、
該受台フレームの上部に設けられ且つ前記他のクレーンのジブの幅に応じて間隔調節可能な幅調節手段と
から構成しているため、暴風時には、前記受台の受台フレームを展開位置に水平回動させた状態で、幅調節手段により他のクレーンのジブの幅に応じて受台フレームの上部における間隔調節を行い、該受台フレームに他のクレーンのジブを支持せしめることが可能となる一方、通常運転時には、前記受台の受台フレームを、前記旋回体からの張り出し量を少なくする格納位置に水平回動させることにより、該受台フレームの張り出し量を少なくし、他のクライミングクレーンや構築物との干渉を避け、運転を効率良く行うことが可能となる。
【００２０】
前記クレーンのジブ支持装置においては、前記幅調節手段を、
前記他のクレーンのジブの両幅端部を挟持するように配設され且つ少なくとも一方が前記他のクレーンのジブの幅方向へ移動自在となるよう前記受台フレームの上部に取り付けられる受部材
によって構成することができる。
【００２１】
前記クレーンのジブ支持装置においては、前記クレーンが、上方へブロックを順次継ぎ足し可能なマストの頂部に昇降ユニットを介して前記旋回体を旋回自在に配置したクライミングクレーンである場合に特に有効となる。
【発明の効果】
【００２２】
本発明のクレーンのジブ支持装置によれば、暴風時、複数台のクレーンを設置周辺の状況に影響されずに安定配置させることができ、転倒等を確実に防止し得るという優れた効果を奏し得る。
【発明を実施するための最良の形態】
【００２３】
以下、本発明の実施の形態を添付図面を参照して説明する。
【００２４】
図１〜図６は本発明を実施する形態の一例であって、図中、図７と同一の符号を付した部分は同一物を表わしており、基本的な構成は図７に示す従来のものと同様であるが、本図示例の特徴とするところは、図１〜図６に示す如く、上方へブロック２ａを順次継ぎ足し可能なマスト２の頂部に昇降ユニット３を介して旋回体４が旋回自在に配置され且つ該旋回体４上にジブ５が起伏自在に取り付けられたクライミングクレーン１をビル等の構築物１２上に複数台（図４の例では二台、図５の例では三台、図６の例では四台）配置している場合に、前記旋回体４に、暴風時に他のクライミングクレーン１のジブ５を支持可能な受台１３を設けた点にある。
【００２５】
本図示例の場合、前記受台１３は、前記他のクライミングクレーン１のジブ５を支持可能な展開位置Ａ（又はＢ）と格納位置Ｃ（図３参照）との間で水平回動自在となるよう前記旋回体４の後方へ延びるカウンタフレーム６に取り付けられた受台フレーム１４と、該受台フレーム１４の上部に設けられ且つ前記他のクライミングクレーン１のジブ５の幅に応じて間隔Ｗ（図２参照）を調節可能な幅調節手段１５とから構成してある。尚、前記受台フレーム１４は、図２及び図３に示す如く、前記旋回体４のカウンタフレーム６に設けられた支持ブラケット１６に対し鉛直方向へ延びるピン１７を介して枢着し、図示していないロック機構（例えば、ロックピンを打ち込む等）により、前記展開位置Ａ（又はＢ）と格納位置Ｃのいずれかの位置に固定できるようにしてあるが、必ずしもこのような構造に限定する必要はなく、例えば、前記受台１３全体を前記旋回体４のカウンタフレーム６に対し完全に着脱自在としたり、或いは、前記受台フレーム１４を前記旋回体４のカウンタフレーム６に対し水平方向へ延びるピンを介して枢着し、上下方向へ回動させるような構造とすることも可能である。
【００２６】
前記幅調節手段１５は、図２及び図３に示す如く、前記受台フレーム１４の上部に、ゴムや合成樹脂等の緩衝材からなる一対の受部材１８，１９を前記他のクライミングクレーン１のジブ５の両幅端部を挟持するように配設し、一方の受部材１８を固定とし、且つ他方の受部材１９を、ボルト・ナット等の締結具２０による締め付け位置調節により前記他のクライミングクレーン１のジブ５の幅方向へ移動自在としてなる構成を有している。勿論、前記受部材１８，１９の両方を前記他のクライミングクレーン１のジブ５の幅方向へ移動自在としても良い。
【００２７】
尚、前記クライミングクレーン１のジブ５は、基本的に起伏用のワイヤロープ１０（図１参照）によってその姿勢が維持されるようになっており、暴風時に該ジブ５を他のクライミングクレーン１の受台１３に支持させる際にも、その荷重を完全には預けず、風による水平方向の変位のみを受台１３の受部材１８，１９によって拘束するようになっているが、前記受台フレーム１４の上面にも、前記受部材１８，１９と同様のゴムや合成樹脂等の緩衝材或いは木材等からなる枕木部材２１を取り付けてある。
【００２８】
次に、上記図示例の作用を説明する。
【００２９】
前述の如く構成すると、暴風時には、前記受台１３の受台フレーム１４を展開位置Ａ（又はＢ）に水平回動させ、図示していないロック機構により固定した状態で、他のクライミングクレーン１のジブ５の幅に応じて、幅調節手段１５のボルト・ナット等の締結具２０による締め付け位置調節により受部材１９を移動させ、受台フレーム１４の上部における受部材１８，１９の間隔Ｗの調節を行い、該受台フレーム１４に他のクライミングクレーン１のジブ５を支持せしめることが可能となる。
【００３０】
ここで、二台のクライミングクレーン１のジブ５を相互に支持する場合は、図４に示すようになり、三台のクライミングクレーン１のジブ５を相互に支持する場合は、図５に示すようになり、四台のクライミングクレーン１のジブ５を相互に支持する場合は、図６に示すようになる。
【００３１】
この結果、従来のように旋回体４を旋回フリーとしたり、ジブ５の自由端を構築物１２に固定したりせずに、複数台のクライミングクレーン１が相互に支え合うように安定して配置される形となり、転倒等の心配がなくなる。
【００３２】
更に、前記クライミングクレーン１の場合、前記ブロック２ａの本数が少なくてマスト２があまり高くなく、該マスト２の強度が暴風に対して充分に余裕のあるときは問題ないが、前記ブロック２ａの本数が多くてマスト２が高く、該マスト２の強度が暴風に対して不足するとき、前記マスト２が円形断面を有する丸マストである場合には、該マスト２に対し前記旋回体４を昇降ユニット３により下方へクライミングダウンさせ、該旋回体４をマスト２の高さ方向中間位置に配設した状態で、前記クライミングクレーン１のジブ５の相互支持を行うことが好ましい。このようにすると、前記マスト２が円形断面を有する丸マストである場合、旋回体４はマスト２の高さ方向中間位置においても旋回可能で、ジブ５の位置を他のクライミングクレーン１の受台１３の位置に合わせて移動させることができるため、前記マスト２の強度を暴風に対して充分に余裕を持たせた上で、クライミングクレーン１のジブ５を、他のクライミングクレーン１の旋回体４のカウンタフレーム６から張り出す受台１３に相互に支持せしめることが可能となる。
【００３３】
又、前記マスト２が矩形断面を有する角マストである場合には、該マスト２に対し前記旋回体４を昇降ユニット３により下方へクライミングダウンさせつつ、上部のブロック２ａを所要本数取り外し、該短縮させたマスト２の頂部に前記旋回体４を配設した状態で、前記クライミングクレーン１のジブ５の相互支持を行うことが好ましい。このようにすると、前記マスト２が矩形断面を有する角マストである場合、旋回体４はマスト２の高さ方向中間位置においては旋回できないが、マスト２の頂部では旋回可能で、ジブ５の位置を他のクライミングクレーン１の受台１３の位置に合わせて移動させることができるため、前記マスト２の強度を暴風に対して充分に余裕を持たせた上で、クライミングクレーン１のジブ５を、他のクライミングクレーン１の旋回体４のカウンタフレーム６から張り出す受台１３に相互に支持せしめることが可能となる。
【００３４】
一方、通常運転時には、前記受台１３の受台フレーム１４を格納位置Ｃに水平回動させ、図示していないロック機構で固定することにより、該受台フレーム１４の張り出し量を少なくし、他のクライミングクレーン１や構築物１２との干渉を避け、運転を効率良く行うことが可能となる。
【００３５】
こうして、暴風時、複数台のクライミングクレーン１を設置周辺の状況に影響されずに安定配置させることができ、転倒等を確実に防止し得る。
【００３６】
尚、本発明のクレーンのジブ支持装置は、上述の図示例にのみ限定されるものではなく、クライミングクレーンに限らずタワークレーン等のようにジブを有するクレーンであればどのようなクレーンにも適用可能なこと等、その他、本発明の要旨を逸脱しない範囲内において種々変更を加え得ることは勿論である。
【図面の簡単な説明】
【００３７】
【図１】本発明を実施する形態の一例を示す全体概略図である。
【図２】本発明を実施する形態の一例における受台を示す側面図である。
【図３】本発明を実施する形態の一例における受台を示す平面図である。
【図４】本発明を実施する形態の一例において二台のクライミングクレーンのジブを相互に支持した状態を示す平面図である。
【図５】本発明を実施する形態の一例において三台のクライミングクレーンのジブを相互に支持した状態を示す平面図である。
【図６】本発明を実施する形態の一例において四台のクライミングクレーンのジブを相互に支持した状態を示す平面図である。
【図７】従来のクライミングクレーンの一例を示す全体概略図である。
【符号の説明】
【００３８】
１    クライミングクレーン（クレーン）
２    マスト
２ａ  ブロック
３    昇降ユニット
４    旋回体
５    ジブ
６    カウンタフレーム
１２    構築物
１３    受台
１４    受台フレーム
１５    幅調節手段
１６    支持ブラケット
１７    ピン
１８    受部材
１９    受部材
２０    締結具
Ａ    展開位置
Ｂ    展開位置
Ｃ    格納位置
Ｗ    間隔
【図１】
0005264299.tif 000002
【図２】
0005264299.tif 000003
【図３】
0005264299.tif 000004
【図４】
0005264299.tif 000005
【図５】
0005264299.tif 000006
【図６】
0005264299.tif 000007
【図７】
0005264299.tif 000008